(57)【要約】【課題】  俊敏で小魚等の小動物の動きをより巧みに疑似することの可能なルアーを提供すること。【解決手段】  ルアー１は、薄板状の芯材と、この芯材の一部を包囲することにより大略の外形を形成する形成材２０と、糸の取り付け部とを備えている。芯材は上部を軽量材から露出させると共に水流を分流する。芯材の下部には軽量材よりも比重の大きなウェイト１２を設けてある。芯材は軽量材の前後長の１／３以上の範囲で軽量材から露出している。頭上部が水流を受ける面として構成されている。【選択図】    図１
2009153505.tif 000002
【特許請求の範囲】
【請求項１】
薄板状の芯材と、この芯材の一部を包囲することにより大略の外形を形成する形成材と、糸の取り付け部とを備えたルアーであって、
前記芯材は上部を軽量材から露出させると共に水流を分流するものであり、芯材の下部には前記軽量材よりも比重の大きなウェイトを設けたルアー。
【請求項２】
芯材が軽量材の前後長の１／３以上の範囲で軽量材から露出している請求項１記載のルアー。
【請求項３】
頭上部が水流を受ける面として構成されている請求項１又は２記載のルアー。
【請求項４】
前記糸の取り付け部が糸孔であり、この糸孔が前後に複数設けられている請求項１〜３のいずれかに記載のルアー。
【請求項５】
頭部におけるウェイトが胴部より多く設けられている請求項１〜４のいずれかに記載のルアー。
【請求項６】
尾における前記芯材が細長く形成され、芯材の尾側先端に針が取り付けられている請求項１〜５のいずれかに記載のルアー。
【請求項７】
全体が小魚として構成されている請求項１〜６のいずれかに記載のルアー。
【発明の詳細な説明】
【技術分野】
【０００１】
本発明は、ルアーに関し、さらに詳しくは、薄板状の芯材と、この芯材の一部を包囲することにより大略の外形を形成する形成材と、糸の取り付け部とを備えたルアーに関する。
【背景技術】
【０００２】
上述の如きルアーとしては、例えば、次の特許文献１，２に記載の如きものが知られている。また、上記構成とは異なるが、背部を鋭角的に形成する構成については特許文献３に記載のものが知られている。
【特許文献１】特開平８−２７５６９９号
【特許文献２】実用新案登録第３０９２０１６号
【特許文献３】特開平９−２７５８５３号
【０００３】
しかし、特許文献３に記載のものでは未だ俊敏な小魚の動きを再現するには不十分であった。また、特許文献１、２には背部で水流を切るという発想がなされていない。
【発明の開示】
【発明が解決しようとする課題】
【０００４】
かかる従来の実情に鑑みて、本発明は、俊敏で小魚等の小動物の動きをより巧みに疑似することの可能なルアーを提供することを目的とする。
【課題を解決するための手段】
【０００５】
上記目的を達成するため、本発明に係るルアーの特徴は、薄板状の芯材と、この芯材の一部を包囲することにより大略の外形を形成する形成材と、糸の取り付け部とを備えた構成において、前記芯材は上部を軽量材から露出させると共に水流を分流するものであり、芯材の下部には前記軽量材よりも比重の大きなウェイトを設けたことにある。
【０００６】
ここで、前記芯材が軽量材の前後長の１／３以上の範囲で軽量材から露出していることが望ましい。また、頭上部が水流を受ける面として構成されるとよい。前記糸の取り付け部が糸孔であり、この糸孔が前後に複数設けられていてもよい。
【０００７】
さらに俊敏な動きを再現するには、頭部におけるウェイトが胴部より多く設けられていることが望ましい。また、尾における前記芯材が細長く形成され、芯材の尾側先端に針が取り付けられているとよい。望ましくは、全体が小魚として構成されている。
【発明の効果】
【０００８】
上記本発明に係るルアーの特徴によれば、芯材の露出部分を背側とし、下部にウェイトを設けることで周期的で俊敏な動きを可能とし、俊敏で小魚等の小動物の動きをより巧みに疑似し得るに至った。
【０００９】
本発明の他の目的、構成及び効果については、以下の発明の実施の形態の項から明らかになるであろう。
【発明を実施するための最良の形態】
【００１０】
次に、適宜添付図面を参照しながら、本発明をさらに詳しく説明する。図１〜４に示すように、本発明に係るルアー１は、ウェイト１２を有する薄板状芯材１０の上部を残し合成樹脂等の形成材２０で覆うことで魚の大略の形を形成することにより本体を構成し、胸部と尾部とにそれぞれ前針３６，後針３７を設けてなる。
【００１１】
薄板状芯材１０は、ステンレス等の剛性の高い板材を打ち抜き加工することにより構成された芯材である。この薄板状芯材１０は、背部１１に前後方向に並べて前糸孔１６ａ，中糸孔１６ｂ，後糸孔１６ｃを形成し、腹部と頭部に鉛等の比重の高い素材よりなるウェイト１２を固着してある。このウェイト１２は、頭部２２では上部に至るまでほぼ全ての薄板状芯材１０を覆い、胴部２１では腹部２５を覆うように配置することで、頭部２２と腹部２５が重くなり、また、頭部２２よりも腹部２５が重くなるように構成してある。ウェイト１２は形成材２０より比重の大きな素材であれば良い。また、薄板状芯材１０は剛性が高く強度の優れた素材であることが望ましい。
【００１２】
薄板状芯材１０の胸部２４には張り出し部を設けて胸孔１７を形成し、尾張出部１５の先端の拡大部に尾孔１８を設けてある。胸孔１７，尾孔１８にはそれぞれ環３５を介して前針３６，後針３７を取り付け、ヒット時の牽引力に耐え得るように構成してある。また、本実施形態では、尾張出部１５が形成材２０よりも比重の大きなステンレス等であり、尾部２３全体の重量を軽くすると共に強度を付与するために、尾張出部１５を細く形成してある。
【００１３】
形成材２０は、背部１１並びに胸孔１７，尾孔１８を除き、薄板状芯材１０の全体を覆い、小魚の形状を形成する。形成材２０を構成する材料としては、例えば、ＡＢＳ、ポリウレタン、アクリル、フェノール、エポキシ、ナイロン、ポリエチレン等の合成樹脂の他、シリコン、ゴム、コルク、木材等を用いることができる。頭部２２の頭上部２６は水流を受けるように曲面状に形成され、背部１１の下側で胴部２１の上側である胴前上部２７ａ，胴後上部２７ｂも水流を受けるように曲面状に形成されている。また、頭部２２の両側には一対の目３０が描かれている。
【００１４】
背部１１は形成材２０に覆われる前後長の約１／３以上、より望ましくは１／２以上形成材２０から露出し、その先端１１ａで水流を分流させて（水を切って）背部１１に方向性を付与する。なお、芯材１０における背部１１の露出面積が大きければ、より背部１１の露出長が短くなっても、本発明の効果は維持される。
【００１５】
胴前上部２７ａ，胴後上部２７ｂは水流を受け、背部１１と相まってルアー１全体が水流に沿うように復元力を作用させる。また、糸孔１６は水流を受けて頭部２２を下に下げさせるように作用する。糸孔１６は前糸孔１６ａ側を利用する場合には、より頭部２２が上に上がり、尾部２３側の振れ幅が大きくなる。一方、中糸孔１６ｂ側を利用すると、より頭部２２が下に下がり、尾部２３側の振れ幅が小さくなる。
【００１６】
使用に際しては、図５に示すように、糸孔１６のいずれかの孔に糸１００を固定し、この糸１００に張力Ｐを作用させてルアー１全体を水中で牽引する。頭部２２は頭上部２６で水流を受け、矢印Ｍ１に示すように頭部２２が通常状態よりも下に下がり、尾部２３が矢印Ｍ２に示すように上に移動することとなる。また、胴前上部２７ａ，胴後上部２７ｂは、図５〜７に示すように水流を受け、背部１１と共にルアー１全体を水流に沿わせる状態に復帰させる。
【００１７】
さらに詳述すると、図６に示すように、背部１１が水流Ｗ１に沿った状態では、水流Ｗ１は先端１１ａで分流されて胴前上部２７ａに当たり、水流Ｗ２となって胴部２１に沿って下部に流れる。水流のみを考えると、先端１１ａ側は張力Ｐをもって牽引されているため、この状態が最も安定している。
【００１８】
しかし、ウェイト１２は先端１１ａとは反対側の腹部２５に位置しており、このウェイト１２は先端１１ａ側に対して背部１１の上下方向に直交する左右へ自由に、且つ、小刻みに震動可能である。図７はウェイト１２が左側に振れた状態であり、この状態において、水流Ｗ３は背部１１に左側から当たると共に左側の胴前上部２７ａに当たり、腹部２５を矢印Ｍ３方向に復帰させるように作用する。水流Ｗ３は水流Ｗ４として胴部２１に沿い、この点でも胴部２１を矢印Ｍ３側に復帰させる。
【００１９】
このように、糸１００に張力を作用させてルアー１を水中で引き回すと、上記水流が発生し、糸１００の取り付け位置、上側の背部１１、胴前上部２７ａ，胴後上部２７ｂ及び下側のウェイト１２の作用が相まって、腹部２５の左右への振動及び復帰が繰り返される。この様は、背びれである背部１１を中心に腹部２５側を左右に小刻みに周期的に振動させることになり、小魚の泳ぐ姿を非常に巧み（匠）に疑似することとなる。
【００２０】
また、上述の如く、ウェイト１２は腹部２５よりも頭部２２の部分を大きく形成してあり、ルアー１全体として、頭部２２の比重が高くなり重心が前側に位置する。したがって、先の左右に対する周期的な振動は頭部２２よりも尾部２３側で大きくなる。この様は、小魚が尾側を左右に振って泳ぐ姿を巧みに疑似することになる。また、尾部２３において尾張出部１５を細くし比重を小さくしたので、さらに尾部２３側の動きは俊敏になり、小魚遊泳の疑似効果は一層向上することとなる。
【００２１】
ここで、上記糸孔１６の差によるルアー１の挙動の違いについてさらに説明する。図５（ａ）に示すように、前糸孔１６ａを利用した場合は、図８（ａ）〜（ｃ）に示すように、腹部２５を左右に揺らすと共に、尾部２３を頭部２２よりも大幅に左右に揺動させる。これに対し、図５（ｂ）に示すように、後糸孔１６ｃを利用した場合は、図５（ａ）の場合よりも大きく頭部２２を下に下げることとなる。また、この図５（ｂ）の場合、図８（ｄ）〜（ｆ）に示すように、腹部２５を左右に揺らすが、先の場合に比べ、尾部２３の左右に揺動は小さくなる。
【００２２】
最後に、本発明に係るルアー１の他の実施形態の可能性について説明する。
上記実施形態では、ウェイト１２を薄板状芯材１０とは別素材で構成したが、薄板状芯材１０の下部及び頭部を拡大させることでウェイト１２を構成してもよい。但し、製造の便宜及び素材の強度と比重の関係の点からは、これらを別素材で構成するのが望ましい。
【００２３】
薄板状芯材１０の上部に形成した糸孔１６は３個のみならずさらに複数形成してもよい。また、この糸孔１６は孔のみならず突起で形成してもよく、糸孔１６は糸１００の取り付け部として構成できればよい。
【００２４】
上記実施形態では、形成材２０を中実に形成したが、形成材２０を中空に形成してもよい。この場合、占有する体積の結果としての比重がウェイト１２より小さければよい。
【００２５】
上記実施形態では、ルアー１を小魚として実施した。しかし、獲物に応じて、エビ、虫、昆虫等の他の小動物としてルアー１を構成してもよい。但し、上記実施形態では、非常に巧みに小魚の動きを疑似することに成功している。
【００２６】
図９の如く背部１１の上下方向露出高さが短ければ、背部１１は前後に延長することが望ましい。なお、同図の場合、水流を受ける同上部２７ｃは凸曲面として構成されているが、上記実施形態の胴前上部２７ａ，胴後上部２７ｂの如く凹曲面として構成されるとより水流を受けやすい点で上記第一の実施形態が優れている。
【００２７】
その他、本願発明の動作及び趣旨に沿う限り、本願発明の構成は適宜変更が可能である。
【産業上の利用可能性】
【００２８】
本発明は、魚を疑似したルアーとして利用することができる。また、魚以外のエビ、虫、昆虫等の他の小動物を疑似したルアーとしての用途にも利用することができる。
【図面の簡単な説明】
【００２９】
【図１】本発明に係るルアーの側面図である。
【図２】ルアーの平面図である。
【図３】（ａ）は図１のＡ−Ａ断面図であり、（ｂ）は図１のＢ−Ｂ断面図であり、（ｃ）は図１のＣ−Ｃ断面図である。
【図４】薄板状芯材の側面図である。
【図５】ルアーが牽引された状態を説明する側面図であり、（ａ）は最前の孔に糸を通した場合、（ｂ）は最後の孔に糸を通した場合である。
【図６】牽引された状態の一例を説明する図３（ｂ）相当図である。
【図７】牽引された状態の他の例を説明する図３（ｂ）相当図である。
【図８】牽引された状態のルアーの挙動を示し、（ａ）〜（ｃ）は図５（ａ）の場合、（ｄ）〜（ｆ）は図５（ｂ）の場合である。
【図９】背部の改変例を示す図１相当図である。
【符号の説明】
【００３０】
１：ルアー、１０：薄板状芯材、１１：背部、１２：ウェイト、１５：尾張出部、１６：糸孔、１６ａ：前糸孔、１６ｂ：中糸孔、１６ｃ：後糸孔、１７：胸孔、１８：尾孔、２０：形成材、２１：胴部、２２：頭部、２３：尾部、２４：胸部、２５：腹部、２６：頭上部、２７ａ：胴前上部、２７ｂ：胴後上部、２７ｃ：胴上部、３０：目、３５：環、３６：前針、３７：後針、１００：糸
【図１】
2009153505.tif 000003
【図２】
2009153505.tif 000004
【図３】
2009153505.tif 000005
【図４】
2009153505.tif 000006
【図５】
2009153505.tif 000007
【図６】
2009153505.tif 000008
【図７】
2009153505.tif 000009
【図８】
2009153505.tif 000010
【図９】
2009153505.tif 000011